(57)【要約】【課題】色変換方法において、簡易な方法により表示画像の一部の色を使用者の選択により任意に変更することができる技術を提供する。【解決手段】色変換方法は、入力画像信号を用いて表示される表示画像に含まれる入力色のうち、変更が要求される色を指定色として取得し、指定色を変更した後の出力色として指定される変換色を取得する。入力色のうち、指定色を変換色に色変換を実行し、色変換された入力画像信号を用いて表示画像を表示するための出力画像信号を出力してよい。【選択図】図３
2020148883.tif 000002
【特許請求の範囲】
【請求項１】
色変換方法であって、
入力画像信号を用いて表示される表示画像に含まれる入力色のうち、変更が要求される色を指定色として取得し、
前記指定色を変更した後の出力色として指定される変換色を取得し、
前記入力色のうち、前記指定色を前記変換色に色変換を実行し、前記色変換された入力画像信号を用いて表示画像を表示するための出力画像信号を出力する
色変換方法。
【請求項２】
請求項１に記載の色変換方法において、
前記入力色に対する出力色を規定する複数の格子点のうち予め定められた格子点群を用いて前記色変換を実行し、
前記指定色を、前記格子点群に含まれる格子点のうち前記指定色の最近傍の格子点に近似し、
前記変換色を、前記格子点群に含まれない他の格子点に対応付け、
前記他の格子点は、近似された前記最近傍の格子点に代えて、前記格子点群を構成させる、
色変換方法。
【請求項３】
請求項２に記載の色変換方法において、
前記格子点群のうち、前記指定色に対して前記指定色の最近傍の格子点の次に近い格子点を参照値として設定し、
前記指定色の最近傍の格子点と、前記参照値との間の画素値を含む色を前記指定色として取得した場合に、前記指定色を、前記変換色の画素値と、前記参照値とを用いて補間された画素値を含む補間変換色を前記変換色として変換する、
色変換方法。
【請求項４】
請求項１に記載の色変換方法において、
前記指定色の選択画面を含む調整画面を表示させ、
前記調整画面から選択された前記指定色を取得する
色変換方法。
【請求項５】
請求項１に記載の色変換方法において、
前記変換色の選択画面を含む調整画面を表示させ、
前記調整画面から選択された前記変換色を取得する
色変換方法。
【請求項６】
色変換装置であって、
入力画像信号を用いて表示される表示画像に含まれる入力色のうち、変更が要求される色を指定色として取得する色比較回路と、
前記指定色を変更した後の出力色として指定される変換色を取得し、前記入力色のうち、前記指定色を前記変換色に色変換し、前記色変換された入力画像信号を用いて表示画像を表示するための出力画像信号を出力する補間回路と、を備える
色変換装置。
【請求項７】
表示装置であって、
入力画像信号を用いて表示される表示画像に含まれる入力色のうち、変更が要求される色を指定色として取得する色比較回路と、前記指定色を変更した後の出力色として指定される変換色を取得し、前記入力色のうち、前記指定色を前記変換色に色変換し、前記色変換された入力画像信号を用いて表示画像を表示するための出力画像信号を出力する補間回路と、を含む色変換装置と、
前記指定色と、前記変換色とを前記色変換装置に入力する制御装置と、
光源から射出された光を、前記色変換装置から出力された前記出力画像信号に応じて変調させる光変調部と、前記光変調部で変調された光を集光及び拡散して投射する投射光学系と、を含む投射装置と、を備える
表示装置。
【請求項８】
請求項７に記載の表示装置において、
前記投射装置は、前記指定色の選択画面を含む調整画面を表示し、
前記色変換装置は、前記調整画面から選択された前記指定色を取得する
表示装置。
【請求項９】
請求項７に記載の表示装置において、
前記投射装置は、前記変換色の選択画面を含む調整画面を表示させ、
前記色変換装置は、前記調整画面から選択された前記変換色を取得する
表示装置。
【発明の詳細な説明】
【技術分野】
【０００１】
本発明は、色変換方法、色変換装置、表示装置に関する。
【背景技術】
【０００２】
従来、外部から入力されるＲＧＢ信号などの色信号を、三次元ルックアップテーブル（以下、３Ｄ−ＬＵＴとも呼ぶ）を用いて変換する色変換装置が知られている（例えば、特許文献１）。
【先行技術文献】
【特許文献】
【０００３】
【特許文献１】特開２００６−２３８４４６号公報
【発明の概要】
【発明が解決しようとする課題】
【０００４】
ユーザーは、例えば、プロジェクターなどの表示装置によって投影された画像を確認した場合に、一部の色を利便に応じて変更したいことがある。一部の色を変更するために３Ｄ−ＬＵＴを変更することは、データ量の大きい３Ｄ−ＬＵＴをすべて変更させるための膨大な処理が必要となる。そのため、簡易な方法で出力画像の一部の色を変換する方法が望まれていた。
【課題を解決するための手段】
【０００５】
本発明の一形態によれば、色変換方法が提供される。この色変換方法は、入力画像信号を用いて表示される表示画像に含まれる入力色のうち、変更が要求される色を指定色として取得し、前記指定色を変更した後の出力色として指定される変換色を取得し、前記入力色のうち、前記指定色を前記変換色に色変換を実行し、前記色変換された入力画像信号を用いて表示画像を表示するための出力画像信号を出力してよい。
【図面の簡単な説明】
【０００６】
【図１】表示装置の一例としてのプロジェクターの機能を表すブロック図。
【図２】簡易色域変換回路の構成を詳細に示すブロック図。
【図３】簡易色域変換回路が実行する色変換方法を表すフロー図。
【図４】指定色の選択画面を模式的に表す説明図。
【図５】変換色の選択画面を模式的に表す説明図。
【図６】色変換処理を三次元色空間で模式的に表す説明図。
【図７】入力画像信号から出力画像信号への変換の対応関係を表す説明図。
【図８】色変換処理された状態の表示画像を模式的に表す説明図。
【図９】第２実施形態の色変換方法を表すフロー図。
【図１０】第２実施形態での変換の対応関係を表す説明図。
【発明を実施するための形態】
【０００７】
Ａ．第１実施形態：
図１は、表示装置の一例としてのプロジェクター１００の機能を表すブロック図である。プロジェクター１００は、図示しない画像供給装置に接続され、画像供給装置から入力される入力画像データを用いて、スクリーンＳＣに表示画像を投射形成する。プロジェクター１００は、メモリーやＣＰＵによって構成されプロジェクター１００の全体の制御を統括する制御装置５０と、制御装置５０の制御により入力画像データを処理する色変換装置３０と、スクリーンＳＣに表示画像を投射する投射装置２０とを備える。本実施形態では、制御装置５０の各部の機能は、制御装置５０のプロセッサーがコンピュータープログラムを実行することによって実現される。色変換装置３０の各部の機能は、ＦＰＧＡ（ｆｉｅｌｄ−ｐｒｏｇｒａｍｍａｂｌｅ ｇａｔｅ ａｒｒａｙ）等のハードウェア回路で実現される。また、制御装置５０の一部の機能をハードウェア回路で実現してもよく、また、色変換装置３０の一部の機能をプロセッサーによって実現してもよい。
【０００８】
投射装置２０は、光源部２１と、光源部２１が発した光を変調する光変調部２２と、光変調部２２で変調された光を集光及び拡散してスクリーンＳＣに投射する投射光学系２３とを備える。光源部２１は、キセノンランプ、超高圧水銀ランプ、ＬＥＤ等からなる光源を備える。光源部２１は、制御装置５０の制御に従って光源に駆動電流を供給し、光源を点灯／消灯させる駆動回路を備える。また、光源部２１は、光源が発した光を光変調部２２に導くリフレクター、投射光の光学特性を高めるための図視しないレンズ群を備える。光源部２１は、偏光板、光源が発した光を光変調部２２に至る経路上で光量を減光させる調光素子等を備えてもよい。
【０００９】
光変調部２２は、液晶パネル、或いはデジタルミラーデバイス（ＤＭＤ）を備え、光源部２１が発する光を変調する。例えば、光変調部２２は、ＲＧＢの各色に対応した３枚の透過型液晶パネルを備え、これら透過型液晶パネルは後述する光変調部駆動回路３８により駆動される。光変調部２２は、３枚の透過型液晶パネルを備えた構成のほか、例えば、３枚のＤＭＤを備えた構成、或いは、１枚の透過型液晶パネルまたはＤＭＤとカラーホイールとを組み合わせた構成であってもよい。投射光学系２３は、光変調部２２で変調されたＲＧＢ３色の変調光を合成するプリズム、及び、プリズムで合成された投射画像をスクリーンＳＣに結像させるレンズ群等を備える。
【００１０】
本実施形態において、プロジェクター１００には、画像供給装置としてのパーソナルコンピューターから入力画像データが入力される。入力画像データは、画像プレーヤーやデジタルカメラなどの外部機器から入力されてもよく、プロジェクター１００に備えられる記憶装置から読み出されてもよい。プロジェクター１００に入力される画像信号は、静止画像の画像データのほか、動画像の画像データでもよい。
【００１１】
色変換装置３０は、画像供給装置から入力される入力画像データのうち、使用者によって指定される指定色と変換色とに応じて、指定色から変換色に変換し、光変調部２２を駆動するための画像制御信号として出力する。色変換装置３０は、簡易色域変換回路３２と、光変調部駆動回路３８とを備える。色変換装置３０に入力された入力画像データは、図視しない画像入力インターフェースを介して、画像信号として簡易色域変換回路３２に入力される。画像入力インターフェースは、画像供給装置に接続されるコネクターやインターフェース回路を備えてもよいし、画像入力インターフェースに代えてコネクターやインターフェース回路を設けてもよい。また、画像入力インターフェースは、アナログ画像信号を入力可能な構成としてもよく、アナログ画像信号をデジタル画像データに変換するＡ／Ｄコンバーター等を備え、変換したデジタル画像データを信号処理部に出力してもよい。画像入力インターフェースと簡易色域変換回路３２との間に、例えば、解像度変換処理、フレームレート変換処理、３Ｄ画像変換処理、歪み補正処理、ズーム処理等の各種の画像処理を行う信号処理部を備えてもよい。
【００１２】
簡易色域変換回路３２は、入力画像信号に含まれる指定色を変換色に色変換する処理を行う。簡易色域変換回路３２に入力される入力画像信号は、本実施形態において、Ｒ（赤）、Ｇ（緑）、Ｂ（青）の各画像信号成分によって構成されるＲＧＢ入力画像信号である。入力画像信号は、例えば、Ｙ（輝度信号）、Ｕ（第１色差信号）、Ｖ（第２色差信号）からなるＹＵＶ画像信号であってもよいし、ＹＣｂＣｒ画像信号、或いはＹＰｂＰｒ画像信号であってもよい。画像入力インターフェースと簡易色域変換回路３２との間に、例えば、Ｈ（hue：色相）、Ｓ（saturation：彩度）、Ｌ（luminance：輝度、明度）成分からなるＨＬＳ画像信号に変換して色調整を行う色調整回路を備えてもよい。
【００１３】
簡易色域変換回路３２は、色変換処理後の画像信号を光変調部駆動回路３８に出力する。本実施形態では、光変調部駆動回路３８に出力される画像信号は、Ｒ、Ｇ、Ｂの各画像信号成分を含む。光変調部駆動回路３８は、簡易色域変換回路３２から入力された画像信号に基づき、光変調部２２を駆動する。より具体的には、光変調部駆動回路３８は、入力された画像制御信号に基づいて、光変調部２２の液晶表示パネルを駆動し、液晶表示パネルに画像を描画する。投射装置２０は、液晶表示パネルに描画された画像に応じてスクリーンＳＣに表示画像を投射する表示部として機能する。
【００１４】
次に図２を用いて簡易色域変換回路３２の構成について説明する。図２は、簡易色域変換回路３２の構成を詳細に示すブロック図である。簡易色域変換回路３２は、色比較回路３３と、補間回路３４とを備える。画像供給装置から画像入力インターフェースを介して入力された入力画像信号は、色比較回路３３と、補間回路３４とに入力される。
【００１５】
色比較回路３３は、指定色のＲＧＢ値と、入力画像信号に含まれる各色に対応するＲＧＢ値とを比較することによって、入力画像信号中に指定色が含まれるか否かを判定する。指定色とは、プロジェクター１００によって入力画像信号を用いて表示される表示画像に含まれる入力色のうち、使用者からの指示によって色の変更が要求される色のことを表す。表示画像は、プロジェクター１００のほか、パーソナルコンピューターやプリンター、液晶モニターといった、画像信号に基づいて画像を表示する種々の装置によって表示される画像であってよい。本実施形態において、指定色は、プロジェクター１００に接続される画像供給装置としてのパーソナルコンピューターの使用者によって任意に選択される。指定色は、制御装置５０を介してＲＧＢ値として色比較回路３３に入力される。色比較回路３３は、入力画像信号中に指定色のＲＧＢ値を検出すると、指定色のＲＧＢ値を変更させるためのＯＮ信号を補間回路３４に出力する。
【００１６】
補間回路３４は、入力画像信号に含まれる色のうち指定色のみを変換色に変換する。変換色は、指定色を変更した後の出力色として指定される色であり、本実施形態において、指定色と同様、画像供給装置としてのパーソナルコンピューターの使用者によって任意に選択され、制御装置５０を介してＲＧＢ値として補間回路３４に入力される。補間回路３４は、色比較回路３３から入力されたＯＮ信号に基づいて指定色のＲＧＢ値を検出し、入力画像信号のうち指定色に対応するＲＧＢ値のみを、変換色に対応するＲＧＢ値に変換する。入力画像信号のうち指定色以外の色に対応するＲＧＢ値は、入力されたＲＧＢ値のまま光変調部駆動回路３８に出力される。
【００１７】
次に、図３から図８を用いて、簡易色域変換回路３２が実行する色変換方法の詳細について説明する。図３は、色変換装置３０の簡易色域変換回路３２が実行する色変換方法を表すフロー図である。本フローは、例えば使用者によるプロジェクター１００の操作によって、指定色を変更させる指示を制御装置５０が受け付けることによって開始する。
【００１８】
ステップＳ１０において、制御装置５０は、指定色の選択画面をプロジェクター１００の表示画像として表示する。図４は、指定色の選択画面を模式的に表す説明図である。調整画面６０ａは、本実施形態において、パーソナルコンピューターから入力される任意の入力画像データに基づいてプロジェクター１００がスクリーンＳＣに投射した表示画像に、制御装置５０によって画像７０とカーソルＰｔを付加された画像である。使用者は、この調整画面６０ａによって、表示画像上の色を視認しながら指定色として選択できる。使用者は、パーソナルコンピューターもしくはプロジェクター１００の操作によって制御装置５０を介してカーソルＰｔを操作し、調整画面６０ａ上の所望の色にカーソルＰｔを合わせて指定色を選択する。図４の例において、調整画面６０ａ中の色Ｃ１を選択したものとする。以下、色Ｃ１を指定色Ｃ１とも呼ぶ。ステップＳ２０において、選択された指定色Ｃ１に対応するＲＧＢ信号が制御装置５０を介して色比較回路３３に入力され、色比較回路３３が指定色Ｃ１を検出する。色比較回路３３は、検出した指定色Ｃ１に対応するＯＮ信号を補間回路３４に出力する。
【００１９】
ステップＳ３０において、指定色の入力を受け付けた制御装置５０は、変換色の選択画面をプロジェクター１００の表示画像として表示する。図５は、変換色の選択画面を模式的に表す説明図である。変換色選択画面６２は、色相環ＭＣと、画像７２と、カーソルＰｔとを含む表示画像である。変換色選択画面６２は、変換色の選択画面を含む調整画面としてプロジェクター１００によりスクリーンＳＣに投射される。使用者は、この変換色選択画面６２によって、表示画像上の色を視認しながら変換色として選択できる。使用者は、カーソルＰｔを操作し、変換色選択画面６２上の色相環ＭＣ中の所望の色にカーソルＰｔを合わせて変換色を選択する。色相環ＭＣは変更可能な色のみを表示する簡易な構成であってよい。変換色選択画面６２は、色相環ＭＣに代えて、カラーパレットを用いたインデックスカラーを用いてもよく、任意の方法により複数の色を表示してもよい。図５の例において、変換色選択画面６２中の色相環ＭＣの色Ｃ２を選択したものとする。色Ｃ２を、以下、変換色Ｃ２とも呼ぶ。ステップＳ４０において、選択された変換色Ｃ２に対応するＲＧＢ信号が制御装置５０を介して補間回路３４に入力されることにより、補間回路３４が変換色Ｃ２を検出する。
【００２０】
ステップＳ５０において、指定色Ｃ１に対応するＯＮ信号と、変換色Ｃ２との入力を受け付けた補間回路３４は、格子点群に変換色Ｃ２を設定するための処理を行う。ここで、図６および図７を用いて簡易色域変換回路３２が実行する格子点群に変換色Ｃ２を設定する処理について説明する。図６は、簡易色域変換回路３２による色変換処理を三次元色空間で模式的に表す説明図である。図６に示すように、指定色Ｃ１は、三次元色空間上で表されるＲＧＢ値に変更されることによって、変換色Ｃ２に変換される。
【００２１】
図７は、入力画像信号から出力画像信号への変換の対応関係を表す説明図である。図７では、説明の便宜のために、図６で表した三次元色空間におけるＲ値での色変換のみを示した。図中の横軸は０から２５５の階調で表される入力画像信号のＲ値を表し、縦軸は０から２５５の階調で表される出力画像信号のＲ値を表す。図７に示す対応関係は、入力画像信号を出力画像信号に変換するためのいわゆる変換マップであり、制御装置５０のメモリー内に記憶されている。Ｒ値以外のＧ値、Ｂ値で実行される色変換処理は、Ｒ値で実行される色変換処理と同様であるので説明を省略する。
【００２２】
本実施形態において、補間回路３４による色変換処理には、色空間上に離散化された複数の格子点が用いられる。格子点は、図７に示す０〜２５５で表される２５６階調のＲ値のうち、０，３２，６４・・・２５５といった３２階調ごとの画素値に離散化されている。格子点は、３２階調ごとには限定されず、２階調や１６階調、６４階調など任意に設定されてよい。この複数の格子点のうち、入力画像信号のＲ値に対する出力画像信号のＲ値の対応関係を表す格子点を格子点群とも呼ぶ。すなわち、格子点群は、入力色に対する出力色を規定する。図７に、この格子点群を概念的に表す格子点群ＬＧを示した。補間回路３４は、ＲＧＢ値で表される三次元色空間上に格子状に展開された格子点群ＬＧに基づいてＲＧＢ値に基づく三次元での色変換処理を行う。
【００２３】
図７に示す直線状の格子点群ＬＧは、入力画像信号のＲ値に対する出力画像信号のＲ値の対応関係の初期設定の状態を表し、入力画像信号のＲ値と、出力画像信号のＲ値とが１：１となる対応関係を示す。格子点群ＬＧは、簡易色域変換回路３２によって書き換えられ、例えばプロジェクター１００の起動ごとに初期設定にリセットされる。
【００２４】
補間回路３４は、指定色Ｃ１に含まれるＲ値を入力画像信号のＲ値とし、変換色Ｃ２に含まれるＲ値を出力画像信号のＲ値として設定する。図７の例において、指定色Ｃ１のＲ値を入力画素値Ｒ１（図中において１５０）とする。入力画素値Ｒ１は、格子点群ＬＧの格子点に含まれないものとする。他方、変換色Ｃ２のＲ値を出力画素値Ｒ３（図中において２２４）とし、出力画素値Ｒ３は三次元色空間上の格子点上のＲ値であるものとする。
【００２５】
本実施形態において、補間回路３４は、取得した指定色Ｃ１の入力画素値Ｒ１が格子点群ＬＧ上の格子点に含まれないため、格子点群ＬＧに含まれる格子点のうち最近傍となる格子点に近似する。より具体的には、補間回路３４は、ニアレストネイバー法とも呼ばれる最近傍補間を用いて、入力画素値Ｒ１を、入力画素値Ｒ１の最近傍となる格子点である入力画素値Ｒ２に近似する。他方、取得した指定色の画素値が格子点群ＬＧ上の格子点に含まれる場合には、補間回路３４はその画素値を用いる。
【００２６】
次に、補間回路３４は、格子点群ＬＧのうち、近似した入力画素値Ｒ２を入力画像信号とする格子点Ｌａを、変換色Ｃ２に対応する出力画素値Ｒ３を出力画像信号とする格子点Ｌｂに置き換える。なお、この格子点Ｌｂは、変換色Ｃ２に対応する格子点であり、格子点群ＬＧに含まれない他の格子点として指定される。これにより、例えば入力画像信号に入力画素値Ｒ２を有する入力色を含む場合に、変換色Ｃ２に対応する出力画素値Ｒ３を有する出力色を含む出力画像信号として色変換される。本実施形態では、更に、指定色Ｃ１のように入力画像信号のＲ値が格子点群ＬＧの各格子点に含まれない場合であっても、最近傍補間によって格子点群ＬＧ上の格子点である入力画素値Ｒ２に近似されて、変換色Ｃ２に対応する出力画素値Ｒ３に変換される。すなわち、格子点Ｌａの近傍の色域に含まれる入力色は変換色Ｃ２に変換される。格子点Ｌａの入力色のみが変換色Ｃ２に変換されてもよい。このように、ステップＳ５０において、補間回路３４は、格子点群ＬＧのうち指定色Ｃ１の最近傍となる格子点Ｌａを、変換色Ｃ２に対応する格子点Ｌｂとなるように書き換え、書き換えた格子点群ＬＧを制御装置５０のメモリーに記憶させる。
【００２７】
ステップＳ６０において、補間回路３４は、書き換えた格子点群ＬＧを参照して、入力された入力画像信号のＲＧＢ値を出力画像信号に対応するＲＧＢ値に変換して光変調部駆動回路３８に出力する。図８は、指定色Ｃ１が変換色Ｃ２に色変換処理された状態の表示画像を模式的に表す説明図である。図８に示すように、書き換えられた格子点群ＬＧを用いることにより指定色Ｃ１を変換色Ｃ２に色変換した表示画像６０ｂが出力される。
【００２８】
以上説明したように、本実施形態の色変換方法によれば、入力画像信号と出力画像信号との対応関係の一部のみを書き換えることによって、表示画像に含まれる任意の指定色Ｃ１のみが任意の変換色Ｃ２に変更される。したがって、使用者は、例えば変換マップ全体を書き換えるといった膨大なデータ量の処理をすることなく、簡易な方法によって表示画像の一部の色を任意に変換することができる。
【００２９】
本実施形態の色変換方法によれば、画像信号値の入出力値の対応関係として、離散化された状態で予め定められた格子点群ＬＧが用いられる。これにより、入力画像信号と出力画像信号との対応関係をより少ないデータ量で構成できるとともに、色変換に必要な処理を簡略化することができる。
【００３０】
Ｂ．第２実施形態：
図９は、簡易色域変換回路３２によって実行される第２実施形態の色変換方法を表すフロー図である。第２実施形態の色変換方法は、第１実施形態の色変換方法のステップＳ６０に代えて、ステップＳ６０ｂを備える点において相違し、その他の構成は第１実施形態と同様である。ステップＳ６０ｂにおいて、補間回路３４は、更に、参照値Ｒｆ１，Ｒｆ２を用いた線形補間によって色変換の処理を実行する。
【００３１】
図１０は、第２実施形態での入力画像信号から出力画像信号への色変換の対応関係を表す説明図である。補間回路３４は、第１実施形態と同様に格子点群ＬＧに変換色Ｃ２を設定する処理を行うと共に、図１０に示す参照値Ｒｆ１，Ｒｆ２とを設定する。より具体的には、補間回路３４は、指定色Ｃ１の入力画素値Ｒ１に対して最近傍である入力画素値Ｒ２の次に近い格子点を参照値Ｒｆ１とし、最近傍となる入力画素値Ｒ２に対して参照値Ｒｆ１とは逆側の格子点を参照値Ｒｆ２として設定する。すなわち、補間回路３４は、格子点群ＬＧのうち指定色Ｃ１の最近傍となる入力画素値Ｒ２に対し、その前後の格子点を各参照値Ｒｆ１，Ｒｆ２として設定する。
【００３２】
本実施形態において、補間回路３４は、入力画素値Ｒ２近傍の格子点群ＬＧに含まれないＲ値を含む入力色が入力画像信号として入力されると、線形補間を用いた色変換処理を実行する。より具体的には、指定色Ｃ１の最近傍となる格子点である入力画素値Ｒ２と、参照値Ｒｆ１との間のＲ値、すなわち格子点群ＬＧに含まれないＲ値を含む指定色Ｃ１に対し、変換色Ｃ２の出力画素値Ｒ３と、参照値Ｒｆ１とを利用した線形補間による色変換を行う。この補間処理が示す色変換の対応関係を直線Ｌ１として概念的に図１０に示した。図１０の例において、入力画素値Ｒ１を含む入力画像信号は、補間回路３４の補間処理によって直線Ｌ１に含まれる出力画素値Ｒ４に変換される。この出力画素値Ｒ４を含む色Ｃ３を、補間変換色Ｃ３とも呼ぶ。同様に、補間回路３４は、入力画素値Ｒ２と参照値Ｒｆ２との間の格子点群ＬＧに含まれないＲ値を含む入力色に対し、出力画素値Ｒ３と参照値Ｒｆ２とを利用した線形補間によって色変換処理を行う。直線Ｌ２は、直線Ｌ１と同様に、参照値Ｒｆ２と入力画素値Ｒ２とを用いた線形補間による対応関係を概念的に示したものである。このように、補間回路３４は、参照値Ｒｆ１から参照値Ｒｆ２までの格子点群ＬＧに含まれないＲ値を含む入力画像信号が入力された場合であっても、補間処理によって直線Ｌ１，Ｌ２上の色に変換する色変換処理を行う。
【００３３】
本実施形態の色変換方法によれば、指定色Ｃ１の近傍となる格子点群ＬＧを参照値Ｒｆ１として利用した補間演算によって、格子点群ＬＧの格子点に含まれない指定色Ｃ１近傍の色を色変換する処理が実行される。これにより、格子点群ＬＧに含まれない入力色も簡易な方法によって色変換することができる。例えば、格子点群ＬＧに含まれない指定色Ｃ１を含むグラデーション画像を色変換した場合であっても、色変換後の表示画像でグラデーションを表現することができる。
【００３４】
Ｃ．他の実施形態：
（Ｃ１）上記実施形態では、簡易色域変換回路３２の補間回路３４による色変換処理には、格子点上のＲＧＢ値が用いられるが、格子点上のＲＧＢ値に限定されず、例えば０〜２５５階調で表されるいずれのＲＧＢ値を用いて色変換処理が実行されてもよい。このような態様であっても、入力画像信号と出力画像信号との対応関係の一部を書き換えることによって、指定色のみを変換色に簡易に変換することができる。
【００３５】
（Ｃ２）上記各実施形態では、使用者による変換色Ｃ２の選択において、三次元色空間上の格子点に含まれるＲ値を有する変換色Ｃ２を選択する例を示したが、変換色Ｃ２は、三次元色空間上の格子点以外のＲ値を有する色を選択されてもよい。この場合において、格子点に含まれないＲ値をその最近傍となる格子点上のＲ値に近似した色を変換色として設定してもよい。三次元色空間上の格子点上のＲＧＢ値のみで設定された色で構成されたカラーパレットから、格子点上の色のみを変換色として選択される態様でもよい。
【００３６】
Ｄ．他の形態：
本発明は、上述した実施形態に限られるものではなく、その趣旨を逸脱しない範囲において種々の形態で実現することができる。例えば、本発明は、以下の形態によっても実現可能である。以下に記載した各形態中の技術的特徴に対応する上記実施形態中の技術的特徴は、本発明の課題の一部又は全部を解決するために、あるいは、本発明の効果の一部又は全部を達成するために、適宜、差し替えや、組み合わせを行うことが可能である。また、その技術的特徴が本明細書中に必須なものとして説明されていなければ、適宜、削除することが可能である。
【００３７】
（１）本発明の一形態によれば、色変換方法が提供される。この色変換方法は、入力画像信号を用いて表示される表示画像に含まれる入力色のうち、変更が要求される色を指定色として取得し、前記指定色を変更した後の出力色として指定される変換色を取得し、前記入力色のうち、前記指定色を前記変換色に色変換を実行し、前記色変換された入力画像信号を用いて表示画像を表示するための出力画像信号を出力してよい。この形態の色変換方法によれば、入力画像信号を利用して、指定色のみが変換色に色変換される。したがって、例えば変換マップ全体を書き換えるといった膨大なデータ量の処理をすることなく、簡易な方法によって表示画像の一部の色を任意に変換することができる。
【００３８】
（２）上記形態の色変換方法において、前記入力色に対する出力色を規定する複数の格子点のうち予め定められた格子点群を用いて前記色変換を実行し、前記指定色を、前記格子点群に含まれる格子点のうち前記指定色の最近傍の格子点に近似し、前記変換色を、前記格子点群に含まれない他の格子点に対応付け、前記他の格子点は、近似された前記最近傍の格子点に代えて、前記格子点群を構成させてよい。この形態の色変換方法によれば、予め定められた格子点を用いた入力画像信号を用いて、指定色から変換色への色変換を行うので、入力画像信号から出力画像信号への変換の対応関係を少ないデータ量で構成できるとともに、色変換に必要な処理を簡略化することができる。
【００３９】
（３）上記形態の色変換方法において、前記格子点群のうち、前記指定色に対して前記指定色の最近傍の格子点の次に近い格子点を参照値として設定し、前記指定色の最近傍の格子点と、前記参照値との間の画素値を含む色を前記指定色として取得した場合に、前記指定色を、前記変換色の画素値と、前記参照値とを用いて補間された画素値を含む補間変換色を前記変換色として変換してよい。この形態の色変換方法によれば、指定色の近傍となる格子点群を参照値とした補間演算によって、格子点群に該当しない指定色近傍の色を色変換する。これにより、格子点群に含まれない入力色を簡易な方法によって色変換することができる。例えば、格子点群に含まれない指定色を含むグラデーション画像を色変換した場合であっても、色変換後の表示画像でグラデーションを表現することができる。
【００４０】
（４）上記形態の色変換方法において、前記指定色の選択画面を含む調整画面を表示させ、前記調整画面から選択された前記指定色を取得してよい。この形態の色変換方法によれば、使用者は、調整画面によって、表示画像上の色を視認しながら指定色として選択できる。
【００４１】
（５）上記形態の色変換方法において、前記変換色の選択画面を含む調整画面を表示させ、前記調整画面から選択された前記変換色を取得してよい。この形態の色変換方法によれば、使用者は、調整画面によって、表示画像上の色を視認しながら変換色として選択できる。
【００４２】
（６）本発明の他の形態によれば、表示装置が提供される。この表示装置は、入力画像信号を用いて表示される表示画像に含まれる入力色のうち、変更が要求される色を指定色として取得する色比較回路と、前記指定色を変更した後の出力色として指定される変換色を取得し、前記入力色のうち、前記指定色を前記変換色に色変換し、前記色変換された入力画像信号を用いて表示画像を表示するための出力画像信号を出力する補間回路と、を含む色変換装置と、前記指定色と、前記変換色とを前記色変換装置に入力する制御装置と、光源から射出された光を、前記色変換装置から出力された前記出力画像信号に応じて変調させる光変調部と、前記光変調部で変調された光を集光及び拡散して投射する投射光学系と、を含む投射装置と、を備える。
【００４３】
本発明は、色変換方法や表示装置以外の種々の形態で実現することも可能である。例えば、本発明の色変換方法を実行する色変換装置、色変換装置の制御方法や表示装置の制御方法、その制御方法を実現するコンピュータープログラム、そのコンピュータープログラムを記録した一時的でない記録媒体等の形態で実現することができる。
【符号の説明】
【００４４】
２０…投射装置、２１…光源部、２２…光変調部、２３…投射光学系、３０…色変換装置、３２…簡易色域変換回路、３３…色比較回路、３４…補間回路、３８…光変調部駆動回路、５０…制御装置、６０ａ…調整画面、６０ｂ…表示画像、６２…変換色選択画面、７０，７２…画像、１００…プロジェクター、Ｃ１…指定色、Ｃ２…変換色、Ｃ３…補間変換色、ＬＧ…格子点群、ＭＣ…色相環、Ｐｔ…カーソル、ＳＣ…スクリーン
【図１】
2020148883.tif 000003
【図２】
2020148883.tif 000004
【図３】
2020148883.tif 000005
【図４】
2020148883.tif 000006
【図５】
2020148883.tif 000007
【図６】
2020148883.tif 000008
【図７】
2020148883.tif 000009
【図８】
2020148883.tif 000010
【図９】
2020148883.tif 000011
【図１０】
2020148883.tif 000012